(57)【特許請求の範囲】
【請求項１】
電気部品を搭載した基板が、ケース内に配置される携帯端末の補強構造であって、
前記基板の表面に接着される補強部品を有し、
前記補強部品は、板金、及び該板金と一体とされるゴムからなり、
前記基板は、一端部が前記携帯端末の他の部品に支持され、他端部が自由端とされることを特徴とする携帯端末の補強構造。
【請求項２】
前記補強部品は、前記基板の他端部に接着されることを特徴とする請求項１に記載の携帯端末の補強構造。
【請求項３】
前記補強部品には、前記電気部品を配置するための凹みが形成されることを特徴とする請求項１又は２に記載の携帯端末の補強構造。
【請求項４】
前記補強部品は、前記板金の表面に複数の前記ゴムが間隔をおいて接着され、
前記凹みは、隣り合う前記ゴムの間の隙間によって構成されることを特徴とする請求項３に記載の携帯端末の補強構造。
【発明の詳細な説明】
【技術分野】
【０００１】
本発明は、電気部品を搭載した基板がケース内に配置される携帯端末の補強構造に関する。
【背景技術】
【０００２】
従来、電気部品が装着された基板を、樹脂製のケース内に配置した携帯電話機が使用される。図９は、この種の従来の携帯電話機を示す断面図である。
【０００３】
図９に示す携帯電話機４１は、フロントケース４２及びリアカバー４３から構成される箱状のケース４４を有する。ケース４４内には、電気部品５０を装着した基板４５が配置される。電気部品５０は、半田が用いられて、基板４５の表面に固定される。
【０００４】
携帯電話機４１の端部では、フロントケース４２及びリアカバー４３の内面に、リブ４６，４７が形成される。リブ４６，４７は、携帯電話機４１の厚さ方向に相対しており、リブ４６，４７の間に隙間Ｓが存在する。
【０００５】
基板４５は、ケース４４内で、一端部４５ａ及び他端部４５ｂの２点で支持された状態にある。すなわち、基板４５は、一端部４５ａが他部品６０に固定され、他端部４５ｂが隙間Ｓに挿入されてリブ４６，４７に挟み込まれる。
【０００６】
特許文献１，２には、フロントケース及びリアカバーからなるケース内に、電気部品を装着した基板が配置される携帯電話機が開示される。
【０００７】
特許文献１では、ウレタン樹脂、ゴム、発泡スチロール等から形成される２つの緩衝部材を、ケース内に配置することが開示される。２つの緩衝部材は、それぞれリアカバーに形成される嵌入部に嵌め込まれて、ケース内に固定される。基板は、一端部が一方の緩衝部材の切り込みに差し込まれ、他端部が、他方の緩衝部材の切り込みに差し込まれることで、一端部及び他端部の２点で支持される。
【０００８】
特許文献２では、基板の一端部に金属製の補強部品を取り付けることが開示される。
【先行技術文献】
【特許文献】
【０００９】
【特許文献１】特開平１１−３３１３３３号公報
【特許文献２】特開２００７−０２５６９５号公報
【発明の概要】
【発明が解決しようとする課題】
【００１０】
図９に示す携帯電話機４１では、落下等による衝撃で、基板４５の長手方向の力が作用した際に、基板４５に一端部４５ａ及び他端部４５ｂを支点とする撓りが生じる。この結果、図１０に示すように、基板４５の他端部４５ｂが、リブ４６，４７の間（隙間Ｓ）から脱落する虞れがある。この場合、上記脱落後に、基板４５が、元の形状に復帰する動きを生じることで、他端部４５ｂがリブ４６，４７に接触して（図１０では、他端部４５ｂがリブ４７に突き当たる状態を示す）、基板４５や電気部品５０に変形が生じたり、電気部品５０の固定に用いる半田が剥がれるといった問題が生じ得る。
【００１１】
また、特許文献１では、携帯端末に基板の長手方向の力が作用した際に、基板の両端を支点とする撓りが生じることで、基板の一端部又は他端部が緩衝部材の切り込みから脱落する虞れがある。この場合、基板が、上記脱落後に、一端部又は他端部が緩衝部材に接触することで、基板や電気部品が破損する虞れがある。
【００１２】
また、特許文献２では、補強部品が金属製の板材から構成されることで、補強部品を基板に設置しても、基板に加えられる衝撃を緩和させることはできない。よって、衝撃により、基板や、基板が搭載する電気部品が破損する虞れがある。
【００１３】
本発明は上記のような事情に鑑みてなされたもので、その目的は、電気部品が装着された基板を、ケース内に配置した携帯端末の補強構造であって、携帯端末が衝撃を受けた際に、前記基板や電気部品に破損が生じることを防止することのできる携帯端末の補強構造を提供することである。
【課題を解決するための手段】
【００１４】
上記目的を達成するため、本発明の観点に係る携帯端末の補強構造は、電気部品を搭載した基板が、ケース内に配置される携帯端末の補強構造であって、
前記基板の表面に接着される補強部品を有し、
前記補強部品は、板金、及び該板金と一体であるゴムからなり、
前記基板は、一端部が前記携帯端末の他の部品に支持され、他端部が自由端とされることを特徴とする。
【発明の効果】
【００１５】
本発明によれば、基板は、一端部が支持されて、他端部が自由端とされる。これにより、携帯端末に他端部の支持部材を設ける必要がない。このため、携帯端末が衝撃を受けた際に、基板が上記の支持部材に接触して、基板や電気部品が破損するといったことがない。
【００１６】
また、金属製の板材を備える補強部材が、基板に取り付けられることで、基板は、一端部のみが支持された状態でも、大きな強度を有し、衝撃を受けた際の動きが小さく抑えられる。また、補強部材がゴムを備えることで、基盤に伝達される衝撃が緩和される。以上により、基板や電気部品に破損が生じることが確実に防止される。また、半田を用いて基板に電気部品を固定する場合、半田が剥がれることが防止される。
【図面の簡単な説明】
【００１７】
【図１】本発明の実施の形態における補強構造が適用される携帯端末の斜視図である。
【図２】補強構造が設けられる第２筐体を示す斜視図である。
【図３】第２筐体の断面図であり、図２に示すＡ−Ａ線に沿って切断した状態を示す。
【図４】リアカバーを除去して、第２筐体の内部を示す斜視図である。
【図５】図４に示す第２筐体の部品を分解して示す斜視図である。
【図６】補強部品を拡大して示す図である。（ａ）は、補強部品の斜視図、図６（ｂ）は、補強部品を下方から視た図、図６（ｃ）は、補強部品の断面図であり、（ａ）に示すＢ−Ｂ線に沿って切断した状態を示す。
【図７】変形例の補強部品が設置された第２筐体の内部を示す断面図である。
【図８】変形例の補強部品を拡大して示す図である。（ａ）は、変形例の補強部品の斜視図、（ｂ）は、変形例の補強部品を下方から視た図、（ｃ）は、変形例の補強部品の断面図であり、（ａ）に示すＣ−Ｃ線に沿って切断した状態を示す。
【図９】従来の携帯電話機を示す断面図であり、基板の一端部がリブの間に挟み込まれた状態を示す。
【図１０】従来の携帯電話機を示す断面図であり、基板の一端部がリブの間から脱落した状態を示す。
【発明を実施するための形態】
【００１８】
以下、本発明の実施の形態の補強構造について、図面を参照して詳細に説明する。なお図中、同一または相当部分には同じ符号を付す。
【００１９】
図１は、本発明の実施の形態における補強構造が適用される携帯端末１の斜視図である。図２は、補強構造が設けられる第２筐体３を示す斜視図である。
【００２０】
携帯端末１は、第１筐体２と、上述の第２筐体３とを備え、これら筐体２、３をヒンジ機構４により回動可能に連結した折り畳み式の携帯電話機である。
【００２１】
第１筐体２には、操作面２ａに各種の操作部５が設けられ、第１筐体２の内部には電源（図示せず）等が収容される。
【００２２】
第２筐体３は、箱状のケース６を有する。ケース６は、フロントケース７及びリアカバー８から構成される。フロントケース７は、枠状部７ａと、側壁部７ｂとを備える。枠状部７ａの中央には、各種情報を表示可能な表示部３０が設けられる。側壁部７ｂは、枠状部７ａの外周から立設しており、リアカバー８と嵌合される。
【００２３】
図３は、第２筐体３の断面図であり、図２に示すＡ−Ａ線に沿って切断した状態を示す。図４は、リアカバー８を取り除いて、第２筐体３の内部を示す斜視図である。図５は、図４に示す第２筐体３の部品を分解して示す斜視図である。
【００２４】
フロントケース７の側壁部７ｂの内側には、支持フレーム１２（図３）と、液晶ディスプレイ１３（図３）と、基板１１（図３〜５）とが収容される。支持フレーム１２は、枠状部７ａの内面に固定されて、バスタブ状の凹部Ｐ（図３）を構成する。液晶ディスプレイ１３は、凹部Ｐ内に収容される。液晶ディスプレイ１３の上面には、スクリーン１４が配置される。スクリーン１４は、枠状部７ａの中央で外部に露出する。図１に示す表示部３０は、液晶ディスプレイ１３とスクリーン１４とにより構成される。
【００２５】
本実施の形態の補強構造は、片持ち支持される基板１１に、補強部品２１を取り付けて、基板１１を補強するものである。以下、基板１１や補強構造の詳細について説明する。
【００２６】
図３に示すように、基板１１は、一端部１１ａが支持フレーム１２に支持され、他端部１１ｂが自由端とされることで、片持ち支持された状態にある。他端部１１ｂとフロントケース７の枠状部７ａとの間には、凹部Ｐの深さほどのスペースＦが存在する。スペースＦには、基板１１が搭載する電気部品１５が配置される。電気部品１５は、基板１１の他端部１１ｂにおけるフロントケース側表面１７に固定される。電気部品１５の固定には、半田が用いられる。
【００２７】
なお、枠状部７ａの内面には、基板１１の外側となる位置に、ボス部３１（図４，５）が設置される。ボス部３１は、フロントケース７をリアカバー８にネジ止め固定するために用いられる。
【００２８】
図６は、補強部品２１を拡大して示す図である。図６（ａ）は、補強部品２１の斜視図、図６（ｂ）は、補強部品２１を下方から視た図、図６（ｃ）は、補強部品２１の断面図であり、（ａ）に示すＢ−Ｂ線に沿って切断した状態を示す。
【００２９】
補強部品２１は、基板１１の他端部１１ｂ（図３〜５）に固定されるものであり、ステンレス製の板金２４と、ゴム２５とを有する。
【００３０】
ゴム２５の一方の表面２５ａは、板金２４に両面接着テープ２６で貼り付けられる。この接着により、板金２４とゴム２５とは一体とされて、補強部品２１が構成される。
【００３１】
ゴム２５の他方の表面２５ｂは、基板１１の他端部１１ｂにおけるリアカバー側表面１８（図３）に、両面接着テープ２９を用いて貼り付けられる。この接着により、補強部品２１は、基板１１の他端部１１ｂに固定される。
【００３２】
本実施の形態によれば、基板１１は、一端部１１ａが支持フレーム１２に支持されて、他端部１１ｂが自由端とされる。これにより、図９，１０に示すリブ４６，４７のように、基板１１の他端部１１ｂを支持する部材を携帯端末１に設ける必要がない。このため、携帯端末１が衝撃を受けた際に、基板１１の他端部１１ｂが上記の支持部材に接触して、基板１１や電気部品１５が破損するといったことがない。
【００３３】
また、板金２４を備える補強部品２１が、基板１１に接着されることで、基板１１は、一端部１１ａのみが支持された片持ち支持の状態でも、大きな強度を有し、携帯端末１が衝撃を受けた際の基板１１の動きは小さく抑えられる。また、補強部品２１がゴム２５を備えることで、基板１１に伝達される衝撃が緩和される。以上により、基板１１や電気部品１５に破損が生じることが確実に防止される。また、電気部品１５の固定に用いる半田が剥がれることが防止される。
【００３４】
また、補強部品２１が、基板１１の他端部１１ｂに接着されることで、自由端である他端部１１ｂの動きが抑制される。これにより、他端部１１ｂに固定される電気部品１５に破損が生じたり、電気部品１５の固定に用いる半田が剥がれることが、より確実に防止される。
【００３５】
また、基板１１本体の寸法を小さく設定した場合（例えば、基板１１の幅が狭くした場合）でも、補強部品２１を基板１１に設けることで、基板１１は、大きな強度を有する。これにより、携帯端末１の厚さを薄くしたり、携帯端末１の小型化を図る上で有利になる。
【００３６】
また、長期の使用等により基板１１本体を構成する樹脂の強度が小さくなった場合でも、補強部品２１を基板１１に設けることで、基板１１は大きな強度を有する。
【００３７】
本発明は、上記した実施形態のみに限定されるものではなく、特許請求の範囲において、種々改変することができる。
【００３８】
例えば、補強部品の形状は、上記実施の形態に示す形状に限らず、図７，８に示す形状に変更することができる。図７は、図３の対応図であり、変形例の補強部品２２が設置された第２筐体３の内部を示す断面図である。図８は、図６の対応図であり、変形例の補強部品２２を拡大して示す図である。図８（ａ）は、補強部品２２の斜視図、図８（ｂ）は、補強部品２２を下方から視た図、図８（ｃ）は、補強部品２２の断面図であり、（ａ）に示すＣ−Ｃ線に沿って切断した状態を示す。
【００３９】
補強部品２２は、板金２４と、ゴム２５Ａ，２５Ｂとを有し、凹みＫが中央に形成される。ゴム２５Ａ，２５Ｂは、板金２４の一方の表面に間隔をおいて接着される。具体的には、ゴム２５Ａは、板金２４の一端部２４ａに両面接着テープ２６Ａで接着され、ゴム２５Ｂは、板金２４の他端部２４ｂに両面接着テープ２６Ｂで接着される。以上の接着により、板金２４と、ゴム２５Ａ，２５Ｂとが一体とされ、ゴム２５Ａ，２５Ｂの間の隙間により、凹みＫが構成される。
【００４０】
ゴム２５Ａ，２５Ｂは、基板１１の他端部１１ｂにおけるリアカバー側表面１８（図３）に、両面接着テープ２９Ａ，２９Ｂで貼り付けられる。この接着により、補強部品２２は、基板１１の他端部１１ｂに固定される。凹みＫは、基板１１のリアカバー側表面１８に固定された電気部品４１を配置するために使用される。
【００４１】
変形例の補強部品２２によれば、凹みＫが電気部品４１を配置するために使用されるので、携帯端末１の寸法を小さく抑える上で有利になる。
【００４２】
なお、板金２４に接着するゴム２５の数は、上記の２つに限らず、任意の複数に設定され得る。ゴム２５を複数設ける場合には、隣り合うゴム２５の間に隙間が設けられて、各隙間により、電気部品を配置するための凹みＫが構成される。
【００４３】
また、補強部品２１，２２では、板金２４やゴム２５，２５Ａ，２５Ｂの厚みや形状は、補強部品２１，２２が配置されるスペースの大きさに応じて任意に設定され得る。
【００４４】
上記の実施形態の一部または全部は、以下の付記のようにも記載されうるが、以下には限られない。
【００４５】
（付記１）
電気部品を搭載した基板が、ケース内に配置される携帯端末の補強構造であって、
前記基板の表面に接着される補強部品を有し、
前記補強部品は、板金、及び該板金と一体とされるゴムからなり、
前記基板は、一端部が前記携帯端末の他の部品に支持され、他端部が自由端とされることを特徴とする携帯端末の補強構造。
【００４６】
（付記２）
前記補強部品は、前記基板の他端部の表面に接着されることを特徴とする付記１に記載の携帯端末の補強構造。
【００４７】
（付記３）
前記補強部品には、前記電気部品を配置するための凹みが形成されることを特徴とする付記１又は２に記載の携帯端末の補強構造。
【００４８】
（付記４）
前記補強部品は、前記板金の表面に複数の前記ゴムが間隔をおいて接着され、
前記凹みは、隣り合う前記ゴムの間の隙間によって構成されることを特徴とする付記３に記載の携帯端末の補強構造。
【符号の説明】
【００４９】
１  携帯端末
２  第１筐体
２ａ  操作面
３  第２筐体
４  ヒンジ機構
５  操作部
６  ケース
７  フロントケース
７ａ  枠状部
７ｂ  側壁部
８  リアカバー
１１  基板
１１ａ  基板の一端部
１１ｂ  基板の他端部
１２  支持フレーム
１２ａ  凹部
１３  液晶ディスプレイ
１４  スクリーン
１５，４１  電気部品
１７  枠状部側表面
１８  リアカバー側表面
２１，２２  補強部品
２４  板金
２５，２５Ａ，２５Ｂ  ゴム
２５ａ  ゴムの一方の表面
２５ｂ  ゴムの他方の表面
２６，２９，２９Ａ，２９Ｂ  両面接着テープ
３０  表示部
３１  ボス部
Ｆ  スペース
Ｋ  凹み
Ｐ  凹部
【図１】
0005500646.tif 000002
【図２】
0005500646.tif 000003
【図３】
0005500646.tif 000004
【図４】
0005500646.tif 000005
【図５】
0005500646.tif 000006
【図６】
0005500646.tif 000007
【図７】
0005500646.tif 000008
【図８】
0005500646.tif 000009
【図９】
0005500646.tif 000010
【図１０】
0005500646.tif 000011